(57)【要約】【課題】  居住空間の快適性を損なうことなく、電気料金を下げることができる空調制御システムを提供することを課題とする。【解決手段】  空調設備４００と、電力量計１００と、居住空間５３０の体感指数を検知可能な体感指数検知部２００と、空調設備４００を制御可能な制御部３００とを備え、制御部３００は、所定期間の電力量から作成される第１のデータベース３１１と、所定期間の体感指数から作成される第２のデータベース３１２とを記憶する記憶部３１０と、需要電力の予測値が需要電力の規制値以上となる第１の期間を予測するとともに、体感指数の予測値が体感指数の規制値以上となる第２の期間を予測する予測部３２１とを有し、第１の期間及び第２の期間が生じないようにすべく、空調設備４００の運転及び停止期間を最適に制御するように構成されてなることを特徴とする。【選択図】  図１
2012063054.tif 000002
【特許請求の範囲】
【請求項１】
建物の居住空間の空調を制御可能な空調設備と、
該空調設備に使用されている電力量を計測可能な電力量計と、
空調設備を備えた居住空間の体感指数を検知可能な体感指数検知部と、
該体感指数検知部によって計測された体感指数に基づいて空調設備を制御可能な制御部とを備える空調制御システムであって、
前記制御部は、電力量計によって計測された所定期間の電力量から作成される第１のデータベースと、体感指数検知部によって検知された所定期間の体感指数から作成される第２のデータベースと、を記憶する記憶部と、
第１のデータベースに基づいて電力量から算出されて予測される需要電力の予測値が需要電力の規制値以上となる第１の期間を予測するとともに、第２のデータベースに基づいて予測される体感指数の予測値が体感指数の規制値以上となる第２の期間を予測する予測部と、を有し、
第１の期間及び第２の期間が生じないようにすべく、空調設備の運転及び停止期間を最適に制御するように構成されてなることを特徴とする空調制御システム。
【請求項２】
前記建物は、居住空間を区画する壁部を有するとともに外部と隔てる躯体部分と、該躯体部分の外側に設けられる断熱材とで構成される外断熱工法の建物であり、
前記体感指数検知部は、前記躯体部分の壁部の表面温度を検知可能な第１検知部と、居住空間の温度を検知可能な第２検知部とを備える請求項１に記載の空調制御システム。
【発明の詳細な説明】
【技術分野】
【０００１】
本発明は、居住空間の快適性を損なうことなく、電気料金を下げることができる空調制御システムに関する。
【背景技術】
【０００２】
従来より、事務所ビルや商業施設などを所有する所有者は、電力会社と高圧受電の契約を結んでいる場合がある。各所有者から電力会社へ支払われる電力料金は、電力量によって決まっている。よって、電力料金を下げるために、この電力量を低減する様々な試みが行われている。
【０００３】
電力料金は、基本料金と電力量料金とから構成される。基本料金は、１ヶ月ごとの最大需要電力（以下、「デマンド」とも称する）のうち、過去１年間で最も大きいデマンド（以下、「契約電力」とも称する）によって決定される。需要電力は、電力量計で計測された電力量をもとに３０分単位で積算した電力量の平均値（平均電力）である。この需要電力のうち、その月で最大となる需要電力がデマンドである。電力量料金は、使用した電力量に比例して決定される。
【０００４】
このようにして決定される電気料金を下げるために、所有者は、デマンドを低減することで基本料金を下げようとする。そこで、デマンドを低減するよう制御するデマンド制御システムが開発されている（例えば、特許文献１  段落［００１２］〜［００１８］参照）。このデマンド制御システムは、需要電力をリアルタイムに計測し、予め設定された需要電力を超過しないように、各空調設備などの負荷機器の運転を制御するものである。
【０００５】
デマンド制御システムは、需要電力を算出すべく電力量を計測可能な電力量計１００と、該電力量計１００で計測された電力量から所定期間後の需要電力を予測するデマンドセンサ２００Ａと、該デマンドセンサ２００Ａが予測した需要電力が目標値を超過するか否かを演算して目標値を超過すると予測される場合に空調設備４００などの負荷機器の運転を自動制御するデマンドコントローラ（負荷コントローラ）３００Ａと、から構成される。
【０００６】
デマンドコントローラ３００Ａは、空調設備４００の運転を制御する運転制御信号を空調設備４００に送信することにより、空調設備４００の運転を制御する。すなわち、デマンドコントローラ３００Ａは、目標値をデマンドに設定し、予測した需要電力がデマンドを超過しない場合だけ空調設備４００を運転させ、デマンドを超過する場合、空調設備４００の運転を停止する。
【０００７】
このシステムによれば、目標値をデマンドに設定することで、このデマンドを超過しないように空調設備４００を制御し、よって、需要電力をデマンドより下げることができる。
【先行技術文献】
【特許文献】
【０００８】
【特許文献１】特開２００７−３１８９０７号公報
【発明の概要】
【発明が解決しようとする課題】
【０００９】
ところで、電力料金を下げるために運転制御される空調設備４００は、事務所ビルや商業施設などの居住空間に対して居住者が快適に居住できるように冷暖房等の空調を行う設備である。例えば、真夏時の出勤直後などのように一斉に空調設備４００を使用するような場合、一時に電力量が急増してデマンドを超過しそうになる場合がある。このような場合であっても、デマンドコントローラ３００Ａは、デマンドを超過しないように空調設備４００の運転を停止させる。空調設備４００の運転を停止すると、電気料金を下げることはできるが、居住空間内は、当然、蒸し暑い状態となり、居住者の快適性が著しく損なわれる。
【００１０】
本発明は、かかる事情に鑑み、居住空間の快適性を損なうことなく、電気料金を下げることができる空調制御システムを提供することを課題とする。
【課題を解決するための手段】
【００１１】
本発明に係る空調制御システムは、建物の居住空間の空調を制御可能な空調設備と、該空調設備に使用されている電力量を計測可能な電力量計と、空調設備を備えた居住空間の体感指数を検知可能な体感指数検知部と、該体感指数検知部によって計測された体感指数に基づいて空調設備を制御可能な制御部とを備え、前記制御部は、電力量計によって計測された所定期間の電力量から作成される第１のデータベースと、体感指数検知部によって検知された所定期間の体感指数から作成される第２のデータベースと、を記憶する記憶部と、第１のデータベースに基づいて電力量から算出されて予測される需要電力の予測値が需要電力の規制値以上となる第１の期間を予測するとともに、第２のデータベースに基づいて予測される体感指数の予測値が体感指数の規制値以上となる第２の期間を予測する予測部と、を有し、第１の期間及び第２の期間が生じないようにすべく、空調設備の運転及び停止期間を最適に制御するように構成されてなることを特徴とする。
【００１２】
かかる構成によれば、制御部は、電力量計によって計測された所定期間の電力量により第１のデータベースを作成し、予測部で第１のデータベースに基づいて電力量から算出される需要電力が規制値以上となる第１の期間を予測する。また、制御部は、体感指数検知部によって検知された所定期間の体感指数により第２のデータベースを作成し、予測部で第２のデータベースに基づいて体感指数が規制値以上となる第２の期間を予測する。そして、制御部は、予測された第１の期間及び第２の期間に基づき空調設備の運転及び停止期間を最適に制御することにより、需要電力を規制値未満に収めて第１の期間を生じなくするとともに、体感指数を規制値未満に収めて第２の期間を生じなくする。従って、本発明に係る空調制御システムは、居住空間の快適性を損なうことなく、電気料金を下げることができる。
【００１３】
また、本発明によれば、前記建物は、居住空間を区画する壁部を有する躯体部分と、該躯体部分の外側に設けられる断熱材とで構成される外断熱工法の建物であり、前記体感指数検知部は、前記躯体部分の壁部の表面温度を検知可能な第１検知部と、居住空間の温度を検知可能な第２検知部とを備えることが好ましい。
【００１４】
かかる構成によれば、居住空間は、外断熱工法の建物に設けられており、外断熱工法以外の工法（例えば、無断熱工法や内断熱工法など）と比較して外気の熱が居住空間に伝わりにくくなっている。ここで検知される躯体部分の壁部の表面温度及び居住空間の温度は、外断熱工法により他の工法と比較してその変化（温度の上昇及び下降の度合い）を低く抑えることができる。体感指数検知部は、この躯体部分の壁部の表面温度を第１検知部により検知するとともに、この居住空間の温度を第２検知部により検知する。すなわち、体感指数検知部は、居住空間の快適性を計るための体感指数として体感温度を検知する。体感指数検知部が検知する体感温度（躯体部分の壁部の表面温度及び居住空間の温度）は、外断熱工法により外気の熱による変化を受けにくくなっており、居住空間の快適性が損なわれにくくなっている。更に、制御部は、予測された第１の期間及び第２の期間に基づき空調設備の運転及び停止期間を最適に制御することにより、需要電力を規制値未満に収めて第１の期間を生じなくするとともに、体感温度を規制値未満に収めて第２の期間を生じなくする。従って、本発明に係る空調制御システムは、居住空間の快適性を損なうことなく、電気料金を下げることができる。
【発明の効果】
【００１５】
以上の如く、本発明に係る空調制御システムによれば、居住空間の快適性を損なうことなく、電気料金を下げることができるという優れた効果を奏する。
【図面の簡単な説明】
【００１６】
【図１】（ａ）は、本発明の一実施形態に係る空調制御システムの構成を説明する概略図、（ｂ）は、同実施形態に係る空調制御システムの構成を説明するブロック図を示す。
【図２】同実施形態に係る空調制御システムの制御フロー図を示す。
【図３】（ａ）及び（ｂ）は、同実施形態に係る空調制御システムの制御フロー図を示す。
【図４】従来のデマンド制御システムの構成を説明するブロック図を示す。
【発明を実施するための形態】
【００１７】
本発明の一実施形態に係る空調制御システムについて図面を参照しつつ説明する。まず、同実施形態に係る空調制御システムが設けられる建物について図１（ａ）を参照しつつ説明する。この建物は、居住空間５３０を区画する壁部５１１を有する躯体部分５１０と、該躯体部分５１０の外側に設けられる断熱材５２０とで構成される外断熱工法の建物である。そして、空調制御システムは、この壁部５１１と床部５１２と天井部５１３とで囲まれた居住空間５３０の空調設備４００を制御する。
【００１８】
壁部５１１は、本実施形態ではコンクリート製である例を説明する。断熱材５２０は、居住空間５３０の外側の熱を居住空間５３０の内側に伝わりにくくするために壁部５１１より外側に設けられている。よって、外断熱工法の建物に設けられる居住空間５３０は、断熱材５２０の外側の熱による影響を受けにくい一方、躯体部分５１０が空調設備４００による熱（冷熱又は温熱）を蓄熱することができる。すなわち、この居住空間５３０は、断熱材５２０が設けられていない無断熱工法の建物や、断熱材５２０を躯体部分５１０の内側に設ける内断熱工法などの建物に設けられた居住空間と比較して空調の効果が長期間維持される。
【００１９】
次に、本実施形態に係る空調制御システムの構成について図１（ｂ）を参照しつつ説明する。同実施形態に係る空調制御システムは、建物の居住空間５３０の空調を制御可能な空調設備４００と、該空調設備４００に使用されている電力量を計測可能な電力量計１００と、空調設備４００を備えた居住空間５３０の体感指数を検知可能な体感指数検知部２００と、該体感指数検知部２００によって計測された体感指数に基づいて空調設備４００を制御可能な制御部３００とを備える。
【００２０】
電力量計１００は、空調設備４００と接続され、空調設備４００が使用する電力量を計測する。電力量計１００は、更に、制御部３００とも接続されており、計測した電力量を制御部３００に送信可能に構成されている。
【００２１】
体感指数検知部２００は、躯体部分５１０の壁部５１１の表面温度Ｔａを検知可能な第１検知部２１０と、居住空間５３０の温度Ｔｂを検知可能な第２検知部２２０とを備える。体感指数検知部２００は、本実施形態では、体感指数として体感温度を計測するために設けられる。体感温度は、「（壁部５１１の表面５１４の温度Ｔａ＋居住空間５３０の温度Ｔｂ）÷２」で求められる。
【００２２】
第１検知部２１０及び第２検知部２２０は、温度を検知する温度センサである。第１検知部２１０は、特に、外部に面する断熱材５２０の内側に設けられる壁部５１１の表面５１４の温度を計測することが好ましい。第２検知部２２０は、例えば空調設備４００に温度センサが搭載されている場合、その温度センサを代用してもよい。
【００２３】
制御部３００は、空調設備４００を制御するための各種情報を記憶する記憶部３１０と、空調設備４００を動作させる命令を演算する演算部３２０と、電力量計１００、体感指数検知部２００及び空調設備４００と情報の送受信を行うＩ／Ｏインターフェース３３０とを備える。
【００２４】
記憶部３１０は、電力量計１００によって計測された所定期間の電力量から作成される第１のデータベース３１１と、体感指数検知部２００によって検知された所定期間の体感温度から作成される第２のデータベース３１２と、本システムによって規制する需要電力Ｗの規制値Ｗａと、本システムによって居住空間５３０に居住する居住者に快適性を提供すべく規制する体感温度Ｓの規制値Ｓａとを記憶する。本実施形態では、需要電力Ｗの規制値Ｗａは、１ヶ月の最大の需要電力（デマンド）であり、体感指数Ｓの規制値Ｓａは、居住空間５３０に居住する人にとって快適性を損なわない上限の体感指数である例を説明する。各データベースに記憶される所定期間の電力量及び体感温度は、電力量及び体感温度を予測するのに必要な期間分の電力量及び体感温度であればよく、例えば、過去１年分であってもよいし、それ以上の期間であってもよい。第２のデータベース３１２に記録される体感温度Ｓは、空調設備４００を運転させていないときの値である。よって、空調設備４００を停止させても、この体感温度Ｓの予測値Ｓｂが変わることがないようになっている。
【００２５】
演算部３２０は、第１のデータベース３１１に基づいて電力量から算出されて予測されるデマンドＷの予測値ＷｂがデマンドＷの規制値Ｗａ以上となる第１の期間Ｔ１を予測するとともに、第２のデータベース３１２に基づいて予測される体感温度Ｓの予測値Ｓｂが体感温度Ｓの規制値Ｓａ以上となる第２の期間Ｔ２を予測する予測部３２１と、この予測部３２１の予測結果に基づき空調設備４００の運転を制御する運転制御部３２２とを有する。
【００２６】
次に同実施形態に係る空調制御システムの動作について、図２及び図３を参照しつつ説明する。なお、図２は、同実施形態に係る空調制御システムの制御部３００の運転制御フロー図を示す。図３（ａ）は、同実施形態に係る空調制御システムの制御部３００のデマンドＷの予測値Ｗｂの検証フロー図を示し、同図（ｂ）は、同実施形態に係る空調制御システムの体感温度Ｓの予測値Ｓｂの検証フロー図を示す。
【００２７】
まず、空調設備４００の運転制御フローについて、図２を参照しつつ説明する。演算部３２０は、第１のデータベース３１１に基づいてデマンドＷの規制値Ｗａ以上となる第１の期間Ｔ１を予測する（Ｓ１０１）。更に、演算部３２０は、第２のデータベース３１２に基づいて体感温度Ｓの規制値Ｓａ以上となる第２の期間Ｔ２を予測する（Ｓ１０２）。
【００２８】
次に、第１の期間Ｔ１が予測されず（Ｔ１＝０の場合、Ｓ１０３でＮＯ）、第２の期間Ｔ２も予測されない（Ｔ２＝０の場合、Ｓ１０４でＮＯ）場合、空調設備４００は運転しない。
【００２９】
第１の期間Ｔ１が予測されず（Ｔ１＝０の場合、Ｓ１０３でＮＯ）、第２の期間Ｔ２が予測される（Ｔ２＞０の場合、Ｓ１０４でＹＥＳ）場合、運転制御部３２２は、第２の期間Ｔ２に空調設備４００を運転させる（Ｓ１０５）。すなわち、第２の期間Ｔ２が予測されたことにより、第２の期間Ｔ２の体感温度Ｓが、居住者を快適に居住させるための規制値Ｓａ以上となる可能性があり、そのため、運転制御部３２２は、空調設備４００をその第２の期間Ｔ２に運転させて、第２の期間Ｔ２の体感温度Ｓが規制値Ｓａより下回るように制御する。なお、第１の期間Ｔ１が予測されていないため、運転制御部３２２が空調設備４００を停止させなくても、デマンドＷは、規制値Ｗａを超えることはない。
【００３０】
第１の期間Ｔ１が予測され（Ｔ１＞０の場合、Ｓ１０３でＹＥＳ）、第２の期間Ｔ２が予測されない（Ｔ２＝０の場合、Ｓ１０６でＮＯ）場合、運転制御部３２２は、第１の期間Ｔ１に空調設備４００が運転されておれば、この空調設備４００の運転を停止させる（Ｓ１０８）。すなわち、第１の期間Ｔ１が予測されたことにより、第１の期間Ｔ１のデマンドＷが、規制値Ｗａ以上となる可能性があり、そのため、運転制御部３２２は、その第１の期間Ｔ１の空調設備４００の運転を停止させることにより、第１の期間Ｔ１のデマンドＷが規制値Ｗａより下回るように制御する。なお、この第２の期間Ｔ２が予測されていないため、運転制御部３２２が空調設備４００を運転させなくても、体感温度Ｓは、規制値Ｓａを超えることはない。
【００３１】
第１の期間Ｔ１及び第２の期間Ｔ２が予測され（Ｔ１＞０且つＴ２＞０の場合、Ｓ１０３及びＳ１０６でＹＥＳ）、第１の期間Ｔ１と第２の期間Ｔ２とが重ならない（一致しない）（Ｔ１≠Ｔ２、Ｓ１０７でＮＯ）場合、運転制御部３２２は、第２の期間Ｔ２に空調設備４００を運転させて、第２の期間Ｔ２の体感温度Ｓが規制値Ｓａを下回るように制御する（Ｓ１０５）。また、運転制御部３２２は、第１の期間Ｔ１に空調設備４００の運転を停止させることにより、第１の期間Ｔ１のデマンドＷが規制値Ｗａを下回るように制御する（１０８）。
【００３２】
第１の期間Ｔ１及び第２の期間Ｔ２が予測され（Ｔ１＞０且つＴ２＞０の場合、Ｓ１０３及びＳ１０６でＹＥＳ）、第１の期間Ｔ１と第２の期間Ｔ２とが重なる（一致する）（Ｔ１＝Ｔ２、Ｓ１０７でＹＥＳ）場合、運転制御部３２２は、空調設備４００の運転及び停止期間の最適制御を行う（Ｓ１０９）。空調設備４００の運転及び停止期間の最適制御とは、例えば、運転制御部３２２が空調設備４００をその第２の期間Ｔ２（＝第１の期間Ｔ１）の所定期間前に運転させて、第２の期間Ｔ２の体感温度Ｓが規制値Ｓａを下回るように制御することである。運転制御部３２２は、その後、第１の期間Ｔ１に空調設備４００の運転を停止させることにより、第１の期間Ｔ１のデマンドＷが規制値Ｗａを下回るように制御する。
【００３３】
このようにして、本実施形態に係る空調制御システムは、第１の期間Ｔ１及び第２の期間Ｔ２が予測されても、空調設備４００の運転及び停止期間を最適に制御することにより、第１の期間Ｔ１及び第２の期間Ｔ２が生じないように構成されている。
【００３４】
次に、電力量計１００で検知した電力量を記憶するとともに、デマンドＷの予測値ＷｂをデマンドＷの算出値Ｗｃで比較して検証する検証フローについて、図３（ａ）を参照しつつ説明する。まず、制御部３００は、電力量計１００から電力量の検出値を受信する（Ｓ２０１）。制御部３００は、第１のデータベース３１１に電力量の検出値を記憶する（Ｓ２０２）とともに、デマンドＷの予測値Ｗｂを検出した電力量から算出する（Ｓ２０３）。そして、制御部３００は、デマンドＷの予測値Ｗｂを算出されたデマンドＷの算出値Ｗｃで比較して検証する（Ｓ２０４）。制御部３００は、電力量計１００から電力量を受信するたびに、この動作を繰り返すことにより、デマンドＷの予測値Ｗｂの信頼性を監視する。
【００３５】
次に、体感指数検知部２００で検出した体感温度Ｓの検出値Ｓｃを記憶するとともに、体感温度Ｓの予測値Ｓｂを体感温度Ｓの検出値Ｓｃで比較して検証する検証フローについて、図３（ｂ）を参照しつつ説明する。まず、制御部３００は、体感指数検知部２００から体感指数Ｓの検出値Ｓｃを受信する（Ｓ３０１）。制御部３００は、第２のデータベース３１２に体感温度Ｓの検出値Ｓｃを記憶する（Ｓ３０２）。そして、制御部３００は、体感温度Ｓの予測値Ｓｂを体感温度Ｓの検出値Ｓｃで比較して検証する（Ｓ３０３）。制御部３００は、体感指数検知部２００から体感温度Ｓを受信するたびに、この動作を繰り返すことにより、体感温度Ｓの予測値Ｓｂの信頼性を監視する。
【００３６】
従って、制御部３００は、電力量計１００によって計測された所定期間の電力量により第１のデータベース３１１を作成し、予測部３２１で第１のデータベース３１１に基づいて電力量から算出されるデマンドＷが規制値Ｗａ以上となる第１の期間Ｔ１を予測する。また、制御部３００は、体感指数検知部２００によって検知された所定期間の体感温度Ｓにより第２のデータベース３１２を作成し、予測部３２１で第２のデータベース３１２に基づいて体感温度Ｓが規制値Ｓａ以上となる第２の期間Ｔ２を予測する。そして、制御部３００は、予測された第１の期間Ｔ１及び第２の期間Ｔ２に基づき空調設備４００の運転及び停止期間を最適に制御することにより、需要電力Ｗを規制値Ｗａ未満に収めて第１の期間Ｔ１を生じなくするとともに、体感温度Ｓを規制値Ｓａ未満に収めて第２の期間Ｔ２を生じなくする。
【００３７】
また、居住空間５３０は、外断熱工法の建物に設けられており、外断熱工法以外の工法（例えば、無断熱工法や内断熱工法など）と比較して外気の熱が居住空間５３０に伝わりにくくなっている。ここで検知される躯体部分５１０の壁部５１４の表面温度Ｔａ及び居住空間５３０の温度Ｔｂは、外断熱工法により他の工法と比較してその変化（温度の上昇及び下降の度合い）を低く抑えることができる。体感指数検知部２００は、この躯体部分５１０の壁部５１４の表面温度Ｔａを第１検知部２１０により検知するとともに、この居住空間５３０の温度Ｔｂを第２検知部２２０により検知する。すなわち、体感指数検知部２００は、居住空間５３０の快適性を計るための体感温度Ｓを検知する。体感指数検知部２００が検知する体感温度（躯体部分５１０の壁部５１４の表面温度Ｔａ及び居住空間５３０の温度Ｔｂ）は、外断熱工法により外気の熱による変化を受けにくくなっており、居住空間５３０の快適性が損なわれにくくなっている。更に、制御部３００は、予測された第１の期間Ｔ１及び第２の期間Ｔ２に基づき空調設備４００の運転及び停止期間を最適に制御することにより、デマンドＷを規制値Ｗａ未満に収めて第１の期間Ｔ１を生じなくするとともに、体感温度Ｓを規制値Ｓａ未満に収めて第２の期間Ｔ２を生じなくする。従って、本実施形態に係る空調制御システムは、居住空間５３０の快適性を損なうことなく、電気料金を下げることができる。
【００３８】
なお、本発明に係る空調制御システムは、上記した実施の形態に限定されるものではなく、本発明の要旨を逸脱しない範囲内において種々変更を加え得ることは勿論である。
【００３９】
上記実施形態に係る空調制御システムは、外断熱工法の建物に設けられる例を説明したが、これに限定されるものではない。例えば、無断熱工法や内断熱工法の建物に設けることもできる。
【００４０】
上記実施形態に係る空調制御システムは、需要電力Ｗの規制値Ｗａを過去の当該月のデマンドとする例を説明したが、これに限定されるものではなく、例えば、需要電力Ｗの規制値Ｗａは、過去１年間の最大需要電力（デマンド）である契約電力としてもよい。このように規制値Ｗａを選択すると、本実施形態に係る空調制御システムであれば、その月のデマンド（の規制値）が契約電力より低い場合に空調設備４００を運転させることができるようになる。
【００４１】
上記実施形態に係る空調制御システムは、体感指数として体感温度Ｓを例に説明したが、これに限定されるものではなく、室内温度や室内湿度などであってもよいし、これらの組み合わせであってもよい。
【符号の説明】
【００４２】
１００…電力量計、２００…体感指数検知部、２１０…第１検知部、２２０…第２検知部、３００…制御部、３１０…記憶部、３１１…第１のデータベース、３１２…第２のデータベース、３２０…演算部、３２１…予測部、３２２…運転制御部、３３０…Ｉ／Ｏインターフェース、４００…空調設備、５１０…躯体部分、５１１…壁部、５１２…床部、５１３…天井部、５１４…（壁部の）表面、５２０…断熱材、５３０…居住空間、２００Ａ…デマンドセンサ、３００Ａ…デマンドコントローラ、Ｔａ…躯体部分の表面の温度、Ｔｂ…居住空間の温度、Ｔ１…第１の期間、Ｔ２…第２の期間、Ｗ…デマンド（最大需要電力）、Ｗａ…デマンドの規制値、Ｗｂ…デマンドの予測値、Ｓ…体感温度（体感指数）、Ｓａ…体感温度の規制値、Ｓｂ…体感温度の予測値、Ｓｃ…体感温度の検出値
【図１】
2012063054.tif 000003
【図２】
2012063054.tif 000004
【図３】
2012063054.tif 000005
【図４】
2012063054.tif 000006